(57)【要約】【課題】  光学式ピックアップよりディスクに対して信号の記録再生動作を行う光ディスク記録再生装置のレーザー駆動信号制御方法を提供する。【解決手段】  光検出器３より得られる信号を増幅する光検出器用増幅回路５と、光検出器用増幅回路５より出力される信号の中の消去期間の信号をサンプリングする消去期間サンプリング回路９より得られる信号のレベルを検出する信号レベル検出回路１０と、レーザーダイオード１に供給される駆動信号のレベルを設定し、ディスク４の特性に対応した反射率データが記憶されるメモリー回路１６の動作を制御する制御回路８とより成り、ディスク４の種類を検出し、検出された種類に応じた反射率データに基いて光検出器用増幅回路５の利得を設定し、信号レベル検出回路１０にて検出される信号レベルを一定にするべく消去レベル信号を出力する回路に対してサーボ動作を行う。【選択図】    図１
2005050451.tif 000002
【特許請求の範囲】
【請求項１】
光学式ピックアップに組み込まれているレーザーダイオードを消去レベル値、ピークレベル値及びボトムレベル値より成るパルス信号にて点灯駆動することによってディスクに信号を記録するように構成された光ディスク記録再生装置において、光学式ピックアップに組み込まれているとともにディスクから反射されるレーザー光を電気信号に変換する光検出器と、該光検出器より得られる信号を増幅する光検出器用増幅回路と、該光検出器用増幅回路より出力される信号の中の消去期間の信号をサンプリングする消去期間サンプリング回路と、該消去期間サンプリング回路より得られる信号のレベルを検出する信号レベル検出回路と、レーザーダイオードに供給されるパルス信号の消去レベル値、ピークレベル値及びボトムレベル値を設定するとともにディスクの特性に対応した反射率データが記憶されるメモリー回路の動作を制御する制御回路とより成り、ディスクが装着されたときディスクの種類を検出するとともに検出された種類に応じた反射率データに基いて前記光検出器用増幅回路の利得を設定し、前記信号レベル検出回路にて検出される信号レベルを一定にするべく消去レベル信号を出力する回路に対してサーボ動作を行うようにしたことを特徴とする光ディスク記録再生装置のレーザー駆動信号制御方法。
【請求項２】
消去レベルに基づいてピークレベル値及びボトムレベル値を設定するようにしたことを特徴とする請求項１に記載のレーザー駆動信号制御方法。
【請求項３】
ピークレベル値及びボトムレベル値の設定をε値に基づいて行うようにしたことを特徴とする請求項２に記載のレーザー駆動信号制御方法。
【請求項４】
ディスクの種類をディスクに記録されているディスク情報データにより検出するようにしたことを特徴とする請求項１に記載のレーザー駆動信号制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置としては、ディスクへの上書きによる書き換えが可能なオーバーライトと呼ばれる方式が一般的であり、ＣＤ方式の記録ディスクを使用するＣＤ−ＲＷ型の記録再生装置が広く普及している。斯かるオーバーライト方式の光ディスク記録再生装置では、光学式ピックアップに組み込まれているレーザーダイオードを図２示す消去レベル値Ｅ、ピークレベル値Ｐ及びボトムレベル値Ｂより成るマルチパルスと呼ばれる駆動信号にて点灯駆動して信号をディスクに記録するように構成されている。
【０００４】
斯かるマルチパルス波形の駆動信号にてレーザーダイオードを点灯駆動させることによってディスクに信号を記録する光ディスク記録再生装置では、消去レベル値Ｅ、ピークレベル値Ｐ及びボトムレベル値Ｂを正確に制御してディスクに高品質な記録動作を行う技術が開発されている(例えば、特許文献１参照。)。
【特許文献１】特開２００１−３４９８７号公報
【発明の開示】
【発明が解決しようとする課題】
【０００５】
マルチパルス波形のパルス信号にてレーザーダイオードを駆動することによってディスクへの信号の記録動作を行う光ディスク記録再生装置においては、ボトムレベル値Ｂからピークレベル値Ｐまでの値ＢＰとボトムレベル値Ｂから消去レベル値Ｅまでの値ＢＥとの比率(ＢＥ／ＢＰ)であるε値の調整が必要であり、このε値はディスク固有であるとともに記録速度に応じて決定される。
【０００６】
ＣＤ−ＲＷ装置の場合、ε値は通常ディスクのレーザー出力を調整する前に決定されるが、この値はディスクに記録されているディスク特性を表すデータ情報を抽出することによって設定される。
【０００７】
ディスクへの信号の記録動作を正確に行うためには、レーザーダイオードより照射されるレーザー光の出力を制御する必要があり、従来では、レーザーダイオードより照射されるレーザー光のレベルをモニターするモニター用ダイオードを設け、そのモニターダイオードより得られるモニター信号を利用してレーザー光の出力を調整するように構成されている。
【０００８】
斯かる構成によれば、レーザー光の出力制御動作を正確に行うことが出来るものの光学式ピックアップにモニター用ダイオードを設ける必要があるため、光学式ピックアップの価格が高価になるという問題がある。
【０００９】
本発明は、斯かる問題を解決することが出来るレーザー駆動信号の制御方法を提供しようとするものである。
【課題を解決するための手段】
【００１０】
本発明は、光学式ピックアップに組み込まれているとともにディスクから反射されるレーザー光を電気信号に変換する光検出器と、該光検出器より得られる信号を増幅する光検出器用増幅回路と、該光検出器用増幅回路より出力される信号の中の消去期間の信号をサンプリングする消去期間サンプリング回路と、該消去期間サンプリング回路より得られる信号のレベルを検出する信号レベル検出回路と、レーザーダイオードに供給されるパルス信号の消去レベル値、ピークレベル値及びボトムレベル値を設定するとともにディスクの特性に対応した反射率データが記憶されるメモリー回路の動作を制御する制御回路とより成り、ディスクが装着されたときディスクの種類を検出するとともに検出された種類に応じた反射率データに基いて前記光検出器用増幅回路の利得を設定し、前記信号レベル検出回路にて検出される信号レベルを一定にするべく消去レベル信号を出力する回路に対してサーボ動作を行うように構成されている。
【発明の効果】
【００１１】
本発明のレーザー駆動信号制御方法によれば光学式ピックアップにレーザーダイオードの発光出力をモニターするモニター用ダイオードが不要になるため、光学式ピックアップの価格を低下させることが出来る。
【００１２】
また、本発明は、光検出器より得られる信号を増幅する光検出器用増幅回路の利得をディスクの反射率データに基いて設定するようにしたので、消去レベルに対するサーボ動作を行うための信号レベルの検出動作を正確に行うことが出来、レーザー駆動信号の制御動作を正確に行うことが出来る。
【００１３】
そして、本発明は、レーザー出力を制御するためにサーボ制御される消去レベルに基づいてピークレベル値とボトムレベル値を設定するようにしたので、記録動作を正確に行うためのレーザー駆動信号の生成動作を行うことが出来る。
【発明を実施するための最良の形態】
【００１４】
本発明は、レーザーダイオードより照射されるレーザー光の出力レベルをモニターするモニター用ダイオードを備えていない光学式ピックアップのレーザー出力を制御するためにディスクより反射される信号の中の消去期間のレベルを利用するようにしたものである。
【実施例１】
【００１５】
図１は本発明に係る光ディスク記録再生装置の一実施例を示す回路図、図２は本発明の動作を説明するための波形図である。
【００１６】
図１において、１は光学式ピックアップに組み込まれているとともにレーザー光を照射するレーザーダイオードであり、レーザー駆動回路２から供給される電流によって駆動されるように接続されている。３は前記レーザーダイオード１より照射され、ディスク４から反射されたレーザー光を受光する光検出器であり、レーザー光を電気信号に変換する作用を有している。５は前記光検出器３にて電気信号に変換された信号が入力されるとともに該信号を増幅する光検出器用増幅回路であり、利得制御回路６によって利得が制御されるように構成されている。
【００１７】
７は前記光検出器用増幅回路５にて増幅されたＲＦ信号(高周波信号)が入力されるとともに該信号を増幅するRF信号増幅回路である。図２は、レーザーダイオード１に供給され
るレーザー駆動信号の波形を示すものであり、ピークレベル値Ｐとボトムレベル値との間で変化するパルス信号が供給されている期間Ｒがディスク４に信号を記録している記録期間を示し、消去レベル値Ｅの信号が供給されている期間Ｓが消去期間を示す。即ち、期間Ｒでディスク４への信号の記録動作が行われ、期間Ｓでは信号の消去動作が行われることになる。
【００１８】
８は後述するレーザー駆動信号の制御動作等の制御動作を行う制御回路、９は前記制御回路８によって動作が制御される消去期間サンプリング回路であり、前記RF信号増幅回路７より出力されるＲＦ信号が入力されるとともに消去期間である期間Ｓの間に得られるＲＦ信号をサンプリング抽出して出力するように構成されている。１０は前記消去期間サンプリング回路９によってサンプリングされた信号が入力されるとともにその信号のレベルを検出する信号レベル検出回路であり、前記制御回路８に検出信号を出力するように構成されている。
【００１９】
１１は前記制御回路８によって動作が制御されるピークレベル信号出力回路であり、ディスク４に信号を記録するピークレベル値Ｐの信号をレーザー駆動回路２より出力させる信号を出力するように設定されている。１２は前記制御回路８によって動作が制御されるボトムレベル信号出力回路であり、ボトムレベル値Ｂの信号をレーザー駆動回路２より出力させる信号を出力するように設定されている。１３は前記制御回路８によって動作が制御される消去レベル信号出力回路であり、消去レベル値Ｅの信号をレーザー駆動回路２より出力させる信号を出力するように設定されている。
【００２０】
１４は前記信号レベル検出回路１０より得られる信号のレベル、即ち消去期間に得られるＲＦ信号のレベルを一定にするべく前記消去レベル信号出力回路１３に対するサーボ動作を行うサーボ回路である。
【００２１】
１５は前記ピークレベル信号出力回路１１、ボトムレベル信号出力回路１２及び消去レベル信号出力回路１３の出力信号が入力される加算回路であり、前記制御回路８による制御動作によって入力される信号の選択加算動作を行い、その選択加算された信号を前記レーザー駆動回路２に供給するように構成されている。
【００２２】
１６はディスク４の種類に応じた反射率データがテーブルデータとして記憶されているメモリー回路であり、前記制御回路８によってデータの読み出し動作が制御されるように構成されている。
【００２３】
斯かる構成において、ディスク４を光ディスク記録再生装置に設けられているディスク装着部に装着するとディスク４の内周部に記録されているディスクの種類を示すデータを読み出す動作が行われ、その種類に応じた反射率のデータをメモリー回路１６から読み出す制御動作が行われる。そして、斯かる制御動作が行われると、その反射率データに基いて利得制御回路６に対する制御動作が行われ、前記光検出器用増幅回路５の利得設定動作が行われる。即ち、ディスク４の反射率が低い場合には、前記光検出器用増幅回路５の利得を増加させ、反対に反射率が高い場合には、前記光検出器用増幅回路５の利得を低下させるための制御動作が行われる。
【００２４】
また、斯かる構成において、記録動作時レーザーダイオード１より照射されるレーザー光はディスク４から反射されて光検出器３によって受光され、前記利得制御回路６により利得が調整設定された光検出器用増幅回路５からその出力に応じたＲＦ信号が出力される状態にある。そして、前記光検出器用増幅回路５から出力されたＲＦ信号はＲＦ信号増幅回路７によって増幅された後消去期間サンプリング回路９に入力される。その結果、前記制御回路８による消去期間サンプリング回路９に対するサンプリング制御動作が行われ、
消去期間のＲＦ信号がサンプリングされる。従って、記録動作状態では、消去期間のＲＦ信号のレベルが常時モニターされた状態にある。そして、前記消去期間サンプリング回路９によってサンプリングされて得られるＲＦ信号であるモニター信号は、信号レベル検出回路１０に入力されてそのレベルを検出された後制御回路８に入力される。斯かるモニター信号が入力されると、前記制御回路８は、サーボ回路１４によるサーボ動作によって前記消去レベル信号出力回路１３より出力される信号のレベル、即ち消去レベル値Ｅを一定のレベルに維持するべく制御するように構成されている。
【００２５】
以上に説明したように本発明に係る光ディスク記録再生装置は構成されているが、次に動作について説明する。ディスク４に設けられているプリグルーブより得られるＡＴＩＰ信号に基づいてディスクの種類に対応する特性を表すデータ情報を抽出し、その抽出されたデータ情報から前もって設定されている消去レベル値Ｂ、ピークレベル値Ｐ及びボトムレベル値Ｂを選択設定するとともにメモリー回路１６に記憶されている反射率のデータを読み出し、そのデータに基いて利得制御回路６を制御し、光検出器用増幅回路５に対する利得設定動作を行う。
【００２６】
斯かる設定動作が行われると、制御回路８の制御動作によってピークレベル信号出力回路１１、ボトムレベル信号出力回路１２及び消去レベル信号出力回路１３から夫々ピークレベル値Ｐ、ボトムレベル値Ｂ及び消去レベル値Ｅの信号をレーザー駆動回路２から出力させるための制御動作が行われる。
【００２７】
そして、入力される記録信号に応じて加算回路１５の選択加算制御動作を制御回路８が行い、その選択加算制御された信号がレーザー駆動回路２に供給される。その結果、レーザー駆動回路２から図２に示す波形、即ちピークレベル値Ｐとボトムレベル値Ｂより成るパルス波形の駆動信号が記録期間である期間Ｒにレーザーダイオード１に供給され、消去レベル値Ｂの駆動信号が消去期間である期間Ｓにレーザーダイオード１に供給される。そして、斯かるパルス波形のレーザー駆動信号が出力される期間Ｒ及び期間Ｓは、記録信号の長さに応じて変化せしめられることになる。
【００２８】
前述したように記録動作状態におけるレーザー駆動パルス信号の生成動作は行われるが、記録動作中消去レベル値Ｅの値は、光検出器３による反射信号の検出動作、光検出器用増幅回路５及びＲＦ信号増幅回路７による増幅動作、消去期間サンプリング回路９によるサンプリング動作、信号レベル検出回路１０による消去期間信号の検出動作及びサーボ回路１４によるサーボ動作によって消去期間ＳのＲＦ信号のレベルが一定になるように制御される。従って、記録動作状態にあるときに温度変化等によってレーザーダイオード１から照射されるレーザー光のレベルが変化しても所望のレーザー出力が得られるように消去レベル値Ｅを制御するための動作が行われることになる。
【００２９】
前述したように消去レベル値Ｅの値をディスク４より反射される信号の中の消去期間に得られる信号のレベルを利用して制御するが、ディスク４からの反射光を受光する光検出器３から得られる信号を増幅する光検出器増幅回路５の利得をディスク４の反射率に基いて設定するようにしたので、ディスク４の特性に最適な消去レベル値Ｅの制御動作を正確に行うことが出来る。
【００３０】
前述したように消去レベル値Ｅの制御動作は行われるが、該消去レベル値Ｅを基準としてその消去レベル値Ｅの変化に応じてピークレベル値Ｐ及びボトムレベル値Ｂの値を制御する動作が行われることになる。そして、斯かるピークレベル値Ｐ及びボトムレベル値Ｂの調整動作は、ディスク４の特性によって設定されているε値に基づいて行われる。従って、ＲＦ信号のレベルを一定にするべく消去レベル値Ｅが変化せしめられると、その変化に応じてピークレベル値Ｐ及びボトムレベル値Ｂが変更されるので、その状態に適した記
録動作を行うことが出来る。
【００３１】
前述したように記録動作状態におけるレーザー駆動信号の制御動作は行われるが、斯かる記録状態より再生状態への切り換え動作が行われた場合には、レーザーダイオード１に供給される駆動信号のレベルを再生動作のための信号レベルになるように変更するが、斯かる場合にも前もって設定されている再生動作を行うためのレーザー出力に対して前述した記録動作時に調整されたレベルに合わせて再生のためのレーザー出力を変更するようにすれば再生動作を行うために適したレーザー出力を得ることが出来る。
【００３２】
尚、本実施例では、光検出器用増幅回路５の利得をディスク４の反射率データに基いて制御するようにしたが、ＲＦ信号増幅回路７の利得を制御するようにすることも出来る。
【図面の簡単な説明】
【００３３】
【図１】本発明に係る光ディスク記録再生装置の一実施例を示す回路図である。
【図２】本発明に係るレーザーダイオードを駆動する信号の波形図である。
【符号の説明】
【００３４】
１        レーザーダイオード
２        レーザー駆動回路
３        光検出器
５        光検出器用増幅回路
６        利得制御回路
８        制御回路
９        消去期間サンプリング回路
１０        信号レベル検出回路
１１        ピークレベル信号出力回路
１２        ボトムレベル信号出力回路
１３        消去レベル信号出力回路
１４        サーボ回路
１５        加算回路
１６        メモリー回路
【図１】
2005050451.tif 000003
【図２】
2005050451.tif 000004